(57)【特許請求の範囲】
【請求項１】
画面全体が複数のブロックに分割され、各ブロック毎に複数のコモン電極と複数のセグメント電極が互いに交差して配置されることで、その交差する箇所にそれぞれ画素が形成され、該画素を各ブロック毎に駆動することで、マトリクス状に配置された多数の画素からなる画面全体の液晶表示を可能にした液晶表示パネルであって、各ブロック内のセグメント電極にデータ信号を供給する配線を該セグメント電極に平行となる方向に引き出し、その引き出した方向に他のブロックが存在する場合は、該他のブロック内のセグメント電極に平行であってコモン電極に交差しながら通るようにしたことを特徴とする液晶表示パネル。
【請求項２】
前記コモン電極における前記セグメント電極の配線と交差する部分の幅が狭く形成されていることを特徴とする請求項１に記載の液晶表示パネル。
【請求項３】
前記コモン電極の画素でない部分の電極幅及びセグメント電極の配線の線幅を、それぞれ１００ミクロン以下としたことを特徴とする請求項１又は２に記載の液晶表示パネル。
【請求項４】
前記セグメント電極の配線に金属メッキが施されていることを特徴とする請求項１又は２に記載の液晶表示パネル。
【請求項５】
前記パネルの画素でない部分に目隠しとなるブラックマトリックスが形成されていることを特徴とする請求項１に記載の液晶表示パネル。
【請求項６】
前記ブラックマトリックスが金属クロムを用いた蒸着法によって形成されていることを特徴とする請求項５記載の液晶表示パネル。
【請求項７】
前記ブラックマトリックスは黒色樹脂材料を用いたスクリーン印刷法によって形成されていることを特徴とする請求項５記載の液晶表示パネル。
【請求項８】
前記ブラックマトリックスが黒色シール材を用いたスクリーン印刷法によって形成されていることを特徴とする請求項５記載の液晶表示パネル。
【発明の詳細な説明】
【０００１】
【発明の属する技術分野】
本発明は、ダイナミック又はスタティック方式によって駆動される液晶表示パネルに関する。
【０００２】
【従来の技術】
現在、リアルタイムに変化する情報をデジタル方式で利用者に伝える表示装置として、例えば空港のフライトインフォメイション、銀行や証券会社の金利・株価表示、電車やバスの行き先案内などの液晶式公衆表示装置が広く使用され始めている。この種の表示装置に用いられる液晶表示パネルには、広視野角、高コントラスト、高速レスポンス、大表示容量等の表示特性が要求される。そこで、これらの要求特性を満足させるため、低デューティーのダイナミック又はスタティック駆動方式の液晶ユニットが採用されている。
【０００３】
図７は、ダイナミック駆動方式を採用した従来の液晶表示パネルにおける電極及び配線の平面配置パターンを示す図である。このマルチプレクシング方式はマトリクス状に配置された多数の画素からなる画面全体を幾つかのブロックに分割し、それぞれのブロックごとに画素を繰り返して表示する方式である。ここには一例として、４×２画素からなるブロックＤと、これに隣接して同じく４×２画素からなるブロックＥを示してある。なお、画素の１つに代表例として符号９０を付した。
【０００４】
ブロックＤには横方向に２本のコモン電極７３、７４が配設され、縦方向に４本のセグメント電極７９、８０、８１、８２が配設されている。これらコモン電極７３、７４とセグメント電極７９、８０、８１、８２の交点に８個の画素が配設されている。コモン電極７３、７４には、走査信号を印加するための配線７３ａ、７４ａが設けられ、セグメント電極７９、８０、８１、８２には、データ信号を印加するための配線７９ａ、８０ａ、８１ａ、８２ａ、が設けられている。
【０００５】
ブロックＤと同様にブロックＥにも横方向に２本のコモン電極７１、７２が配設され、縦方向に４本のセグメント電極７５、７６、７７、７８が配設されている。これらコモン電極７１、７２とセグメント電極７５、７６、７７、７８の交点に８個の画素が配設されている。コモン電極７１、７２には、走査信号を印加するための配線７１ａ、７２ａが設けられ、セグメント電極７５、７６、７７、７８には、データ信号を印加するための配線７５ａ、７６ａ、７７ａ、７８ａが設けられている。
【０００６】
このような構成においてブロックＤ、ブロックＥそれぞれのコモン電極に順次走査信号を印加し、これらコモン電極と交叉する各セグメント電極にも各ブロック毎に適宜データ信号を印加することにより、画面全体の液晶表示が可能になる。例えば、図８に示すようにブロックＤのコモン電極７３に配線７３ａを介して走査信号を印加し、セグメント電極７９、８０、８１、８２にそれぞれ配線７９ａ、８０ａ、８１ａ、８２ａを介して適宜データ信号を選択的に印加することにより、コモン電極７３上に位置する４個の画素の中から所望の画素のみを点灯状態とすることができる。続いて、その隣のコモン電極７４に配線７４ａを介して走査信号を印加し、セグメント電極７９、８０、８１、８２にそれぞれ配線７９ａ、８０ａ、８１ａ、８２ａを介して適宜データ信号を選択的に印加することにより、コモン電極７４上に位置する４個の画素の中から所望の画素のみを点灯状態とすることができる。このようなダイナミック駆動方式の場合は各ブロックごとにコモン電極とセグメント電極に対して走査信号とデータ信号を印加するため、該走査信号とデータ信号のデューティ比をブロック数の分だけ低くすることができ、視野角の改善と速いレスポンスが可能になる等の利点が得られる。
【０００７】
【発明が解決しようとする課題】
しかしながら、上述のような従来のダイナミック又はスタティック駆動方式の液晶表示パネルでは、ブロックＤとブロックＥ間に配線７９ａ、８０ａ、８１ａ、８２ａを通す必要がある。そのため各ブロック（例えば、ブロックＤ、Ｅ）間の間隔を広げる必要が生じ、ブロック内の画素間隔と各ブロック間の画素間隔が異なったものとなる。例えば、図７に示すようにブロックＤやブロックＥ内の画素間隔はＬであるのに対し、ブロックＤとブロックＥ間の画素間隔はＬ’（＞Ｌ）となる。このため、表示画像全体にわたる表示バランスが低下し表示品質が劣化する。一方表示画像全体の画素数は同じとし、表示バランスを低下させないように各ブロック内の画素間隔ＬをＬ’となるように広げると、それに伴って画素の大きさを縮小しなければならず、デッドスペースが広がり、開口率を低下させ、コントラストを低下させるという問題が生じる。本発明の課題はこのような問題点に鑑み、画素の開口率を低下させず、コントラストを低下させない表示バランスの良好な液晶表示パネルを提供することにある。
【０００８】
【課題を解決するための手段】
上記課題を解決するため、請求項１記載の発明は、画面全体が複数のブロックに分割され、各ブロック毎に複数のコモン電極と複数のセグメント電極が互いに交差して配置されることで、その交差する箇所にそれぞれ画素が形成され、該画素を各ブロック毎に駆動することで、マトリクス状に配置された多数の画素からなる画面全体の液晶表示を可能にした液晶表示パネルであって、各ブロック内のセグメント電極にデータ信号を供給する配線を該セグメント電極に平行となる方向に引き出し、その引き出した方向に他のブロックが存在する場合は、該他のブロック内のセグメント電極に平行であってコモン電極に交差しながら通るようにしたことを特徴とする。
請求項２記載の発明は、また前記コモン電極における前記セグメント電極の配線と交差する部分の幅が狭く形成されていることを特徴とする。
請求項３記載の発明は、さらに前記コモン電極の画素でない部分の電極幅及びセグメント電極の配線の線幅を、それぞれ１００ミクロン以下としたことを特徴とする。
請求項４記載の発明は、さらにまた前記セグメント電極の配線に金属メッキが施されていることを特徴とする。
請求項５記載の発明は、また前記パネルの画素でない部分に目隠しとなるブラックマトリックスが形成されていることを特徴とする。
【０００９】
従って、請求項１記載の発明によれば、液晶表示パネルを複数のブロックに分割し、それぞれのブロックに複数本のコモン電極を設け、これと交叉する方向に複数本のセグメント電極を設け、このセグメント電極にデータ信号を供給するための配線を、該セグメント電極に平行となるように配設したので、それぞれのブロック間にはセグメント電極にデータ信号を供給するための配線を通す必要がなくなり、画素間隔を広げる必要がなく、画素の開口面積を縮小する必要がなくなるので表示バランスの良好な液晶表示パネルを提供することができる。
【００１０】
またセグメント電極の配線がコモン電極を横切る部分は画素でもないのに、その配線と電極との間に電圧が印加されることにより点灯可能な部分（以下、この部分を配線点灯部と言う）となるが、請求項２および３に記載の発明によれば、このような配線点灯部の面積を１００ミクロン×１００ミクロン以下におさえ、該配線点灯部の点灯を目立たないようにする。
【００１１】
さらに請求項４記載の発明によれば、前記配線上に、例えば金属メッキが施し、配線のライン抵抗が増大しないように構成できる。さらにまた請求項５記載の発明によれば表示パネルの画素以外の部分に目隠しとなるブラックマトリックスが形成され不要な配線点灯部が該ブラックマトリックスによって覆われるので画素のコントラストが高まり表示品質が向上する。
【００１２】
【発明の実施の形態】
以下、本発明の液晶表示パネルの一実施形態を図面により詳細に説明する。図１及び図２は上述のような表示装置に使用されるダイナミック方式により駆動される液晶表示パネルとその駆動方式を説明する図である。同図は液晶表示パネル全体を示している。またパネル全体はブロックＡとブロックＢに分割されている。
【００１３】
ブロックＡには横方向に２本のコモン電極７１、７２が設けられ、縦方向に４本のセグメント電極７５、７６、７７、７８が設けられている。コモン電極７１、７２とセグメント電極７５、７６、７７、７８の交点には、それぞれ８個の画素が形成されている。コモン電極７１と７２には図２に示すようにブロックＡの走査信号を印加する配線７１ａ、７２ａが設けられ、セグメント電極７５、７６、７７、７８にはデータ信号を印加するための配線７５ａ、７６ａ，７７ａ，７８ａが設けられている。
【００１４】
ブロックＢには横方向に２本のコモン電極７３、７４が設けられ、縦方向に４本のセグメント電極７９、８０、８１、８２が設けられている。コモン電極７３、７４とセグメント電極７９、８０、８１、８２の交点には、それぞれ８個の画素が形成されている。コモン電極７３と７４にはブロックＢの走査信号を印加する配線７３ａ、７４ａが設けられ、セグメント電極７９、８０、８１、８２にはブロックＢのデータ信号を印加するための配線７９ａ、８０ａ，８１ａ，８２ａが設けられている。
【００１５】
このように構成された液晶表示パネルにおいて、それぞれのブロックのコモン電極に各配線を介して走査信号を順次印加し、これらコモン電極と交叉する各セグメント電極にも各ブロック毎に各配線を介して適宜データ信号を印加することにより、画面全体の液晶表示が可能になる。例えば、図２に示すようにブロックＢのコモン電極７３に配線７３ａを介して走査信号を印加し、セグメント電極７９、８０、８１、８２にそれぞれ配線７９ａ、８０ａ、８１ａ、８２ａ、を介して適宜データ信号を選択的に印加することによりコモン電極７３上に位置する４個の画素の中から所望の画素のみを点灯状態とすることができる。続いて、その隣のコモン電極７４に配線７４ａを介して走査信号を印加し、セグメント電極７９、８０、８１、８２にそれぞれ配線７９ａ、８０ａ、８１ａ、８２ａを介して適宜データ信号を選択的に印加することによりコモン電極７４上に位置する４個の画素の中から所望の画素のみを点灯状態とすることができる。このようにすると各セグメント電極への電圧印加の時間比であるデューティ比をブロック数の分だけ低くすることができ、その結果、視野角の改善と速いレスポンスが可能になる等の利点が得られる。
【００１６】
しかも、上述のように液晶表示パネルのセグメント電極の配線を該セグメント電極に平行となるように工夫したので、ブロックＡとブロックＢ間にセグメント電極用の配線７９ａ、８０ａ、８１ａ、８２ａを通す必要がなく、単にブロックＡの各セグメント電極間に配線をただ１本ずつ通す余裕があればよい。このため各ブロック（例えば、ブロックＡ、Ｂ）の間隔を広げる必要がないので表示画像全体にわたる表示バランスを低下させず表示品質が劣化しない。従って従来例のマルチプレクシング方式の液晶表示パネルのように画素の大きさを縮小する必要がないので、開口率が低下せず解像度の良いダイナミック方式の液晶表示パネルとなる。
【００１７】
尚、各画素の点灯／非点灯の制御は、周知の方法により適宜行われ得る。例えば図２にて、１つの画素（０、０）は、コモン電極７１と、セグメント電極７５間に所定電圧が印加された場合にのみ透明（点灯状態）となり、所定電圧が印加されない場合には不透明（非点灯状態）となる。その他の画素についても同様な制御が行われることにより、全画素の点灯／非点灯が適宜制御される。尚、本発明は、液晶パネルの後方に光源を配置した構成の透過型であってもよく、あるいは、外部からの光の反射を利用した反射型であってもよい。
【００１８】
図３は図１に示した４個の画素を含むＡ部の部分拡大図で、斜線を引いた部分はセグメント電極を示し、コモン電極は液晶を介してセグメント電極に交差するようにして配設されている。
【００１９】
同図に示すように、コモン電極７２とセグメント電極７８との交差する画素の部分の幅Ａ１は、コモン電極７２の幅と同じように形成されている。これに対してコモン電極７２とセグメント電極７８の交差していない画素でない部分のコモン電極７２の幅Ｗ２は前述の幅Ａ１よりもかなり細く形成されている。この理由は、例えば、コモン電極７２に走査信号が印加されている時に、配線８２ａを介しセグメント電極８２にデータ信号が印加された場合を考えると、コモン電極７２とその上を横切っているセグメント電極８２用の配線８２ａとが交差する部分Ａ２にも所定電圧が印加されることになり、これによって部分Ａ２が画素でもないのに点灯状態となる（以下、この部分を配線点灯部という）。このように、画素でもない部分が点灯するのは表示品質を低下することになるので配線点灯部Ａ２の線幅Ｗ２をできるだけ細くし、該配線点灯部Ａ２の点灯を目立たなくすることによる。
【００２０】
この配線点灯部Ａ２の大きさ（面積）は、セグメント電極の配線８２ａの線幅Ｗ１とコモン電極７２の画素でない部分の幅Ｗ２によって決まる。セグメント電極の線幅Ｗ１とコモン電極の画素でない部分の電極の幅Ｗ２が共に小さいほど配線点灯部Ａ２は小さくなり点灯が目立たないようになる。このため本発明においては線幅Ｗ１を１００ミクロン以下にする。あるいは線幅Ｗ１、Ｗ２共に１００ミクロン以下となるようにし、これによって配線点灯部Ａ２の面積を１００ミクロン×１００ミクロン以下にし、配線点灯部Ａ２の点灯をさらに目立たないようにする。一方配線点灯部Ａ２の点灯を目立たないようにするために配線８２ａの線幅を極端に細くしたために配線８２ａのライン抵抗が増大する場合には配線８２ａの表面の全領域にわたって金属メッキを施し、これによってライン抵抗を下げるようにしてもよい。
【００２１】
図４に示すようにガラス基板３３上のセグメント電極７７と７８の間の画素でない部分に真空蒸着等によって金属クロム３７を形成することもできる。ただし配線８２ａと金属クロム３７とは共に電気的良導体であるから、単純に配線８２ａの上に金属クロム３７を真空蒸着すると両者が短絡されてしまうので予め配線８２ａを絶縁材２９によって覆い、その絶縁材２９に金属クロム３７を真空蒸着して配線８２ａと金属クロム３７とを電気的に絶縁する必要と、真空蒸着の際にセグメント電極と金属クロム３７との境界部分をマスクすることによって金属クロム３７が蒸着されない部分を形成し、これによって金属クロム３７を介してセグメント電極７７と７８を電気的に絶縁する必要がある。
【００２２】
あるいは、図５に示すように、ガラス基板３３上のセグメント電極７７と７８の間の画素でない部分に変性エポキシ樹脂と染料から成る黒色樹脂材料あるいは通常カラーフィルタに設けられ、画素電極間の隙間の遮光を行うために用いられる黒色シール材３７ａ等をスクリーン印刷法によって形成することもできる。このようにして上述の金属クロム３７や黒色樹脂材料あるいは黒色シール材３７ａ等によって図６のように画素でない部分にブラックマトリックス６０を形成し配線点灯部の点灯を目隠しするようにしてもよい。図４や図５のようなブラックマトリックスを採用した場合には、コモン電極や配線の幅を狭くする必要がなく、その結果、コモン電極や配線のライン抵抗を下げずにすむことになる。
【００２３】
【発明の効果】
以上に述べたように、本発明による液晶表示パネルによれば、セグメント電極に平行になるように該セグメント電極の配線の引き回しを工夫することによって表示画面全体の配線本数は同じにしたまま、各画素間の配線本数を必要最小限度に抑え、これによって画素の開口率を低下させることなく、コントラストが良好で表示バランスの優れた液晶表示パネルを提供することができる。また、配線点灯部の配線の幅を１００ミクロン以下として配線点灯部の点灯を目立たなくしたり、配線点灯部にブラックマトリックスを形成して配線点灯部を目隠しすることによって表示品質の一段と向上した液晶表示パネルを提供することができる。
【図面の簡単な説明】
【図１】本発明における液晶表示パネルの平面図である。
【図２】本発明における液晶表示パネルの駆動方式の説明図である。
【図３】図１に示す液晶表示パネルのＡ部の拡大平面図である。
【図４】本発明における液晶表示パネルの部分拡大断面図である。
【図５】本発明における液晶表示パネルの他の実施の形態の部分拡大断面図である。
【図６】本発明におけるブラックマトリックスを形成した液晶表示パネルの平面図  である。
【図７】従来のダイナミック方式による液晶表示パネルの配線方式を説明する平面図である。
【図８】従来のダイナミック方式による液晶表示パネルの駆動方式を説明する図である。
【符号の説明】
７１        ブロックＡ用コモン電極
７２        ブロックＡ用コモン電極
７３        ブロックＢ用コモン電極
７４        ブロックＢ用コモン電極
７１ａ      ブロックＡ用コモン電極用配線
７２ａ      ブロックＡ用コモン電極用配線
７３ａ      ブロックＢ用コモン電極用配線
７４ａ      ブロックＢ用コモン電極用配線
７５        ブロックＡ用セグメント電極
７６        ブロックＡ用セグメント電極
７７        ブロックＡ用セグメント電極
７８        ブロックＡ用セグメント電極
７９        ブロックＢ用セグメント電極
８０        ブロックＢ用セグメント電極
８１        ブロックＢ用セグメント電極
８２        ブロックＢ用セグメント電極
７５ａ      ブロックＡ用セグメント電極用配線
７６ａ      ブロックＡ用セグメント電極用配線
７７ａ      ブロックＡ用セグメント電極用配線
７８ａ      ブロックＡ用セグメント電極用配線
７９ａ      ブロックＢ用セグメント電極用配線
８０ａ      ブロックＢ用セグメント電極用配線
８１ａ      ブロックＢ用セグメント電極用配線
８２ａ      ブロックＢ用セグメント電極用配線
【図１】
0003658473.tif 000002
【図２】
0003658473.tif 000003
【図３】
0003658473.tif 000004
【図４】
0003658473.tif 000005
【図５】
0003658473.tif 000006
【図６】
0003658473.tif 000007
【図７】
0003658473.tif 000008
【図８】
0003658473.tif 000009